【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
ピストンをシリンダのボア内で摺動させて該ピストンによりブレーキパッドをディスクに押圧するディスクブレーキであり、前記シリンダが、底部の蓋部材と、該蓋部材で閉塞される開口部を有するシリンダ本体とによって構成されるディスクブレーキにおいて、
前記蓋部材を、前記シリンダ本体の開口部に摩擦攪拌溶接によって接合し、前記シリンダ本体の前記開口部が形成される部位の外周面の外径を、前記シリンダ本体の前記ボアの外周壁の最小外径部の外径よりも大きく形成し、前記シリンダ本体の前記開口部が形成される部位の外周面のうちの一部に該外周面よりも径方向外側に膨出する膨出部を設け、この膨出部を前記摩擦攪拌溶接の完了位置としたことを特徴とするディスクブレーキ。
【請求項２】
ピストンをシリンダのボア内で摺動させて該ピストンによりブレーキパッドをディスクに押圧するディスクブレーキであり、前記シリンダが、底部の蓋部材と、該蓋部材で閉塞される開口部を有するシリンダ本体とによって構成されるディスクブレーキにおいて、
前記蓋部材を、前記シリンダ本体の開口部に摩擦攪拌溶接によって接合し、前記シリンダ本体の外周面のうちの、前記開口部の形成される部位の外周領域に近接した部位に、前記開口部の形成されている部位の外周面の外径よりも小さい外径の小径部を形成し、前記シリンダ本体の前記開口部が形成される部位の外周面のうちの一部に該外周面よりも径方向外側に膨出する膨出部を設け、この膨出部を前記摩擦攪拌溶接の完了位置としたことを特徴とするディスクブレーキ。
【請求項３】
前記ディスクを両側から押圧するピストンが摺動するシリンダが対を成して設けられ、
この対を成すシリンダが前記ディスクの外周面を跨いでリブで結合されるとともに、前記対を成すシリンダのうちの一のシリンダのシリンダ本体の底部に前記開口部が設けられ、
前記シリンダ本体の前記開口部が形成される部位の外周のうちの、前記リブに対応する位置に径方向外側に膨出する前記膨出部が設けられることを特徴とする請求項１または２に記載のディスクブレーキ。
【請求項４】
前記シリンダ本体の前記開口部が形成される部位の外周に、前記シリンダ本体の端面に向かって窄まる面取り部を形成したことを特徴とする請求項１〜３のいずれか一項に記載のディスクブレーキ。
【請求項５】
前記シリンダ本体を備えたブレーキキャリパは、前記ディスクの回転方向を含む平面と略直交するように鋳型の割線が形成されることを特徴とする請求項１〜４のいずれか１項に記載のディスクブレーキ。
【請求項６】
前記シリンダ本体の前記開口部が形成される部位の外周面と、前記シリンダ本体の前記ボアの外周壁の最小外径部とは、前記シリンダ本体の端面に向かうにつれて拡径する傾斜面により接続されることを特徴とする請求項１に記載のディスクブレーキ。
【請求項７】
液圧により一対のブレーキパッドをディスクに押圧するピストンが摺動するボアが前記ディスク回転方向に離間して２つ設けられ、前記各ボアの前記シリンダ本体の底部に前記開口部が設けられ、前記膨出部が前記シリンダ本体の前記ディスク回転方向の両端部に設けられることを特徴とする請求項１または２に記載のディスクブレーキ。
【請求項８】
前記ディスクを両側から押圧するピストンが摺動するシリンダが対を成して２対設けられ、
この対を成すシリンダが前記ディスクの外周面を跨いで前記シリンダ本体の前記ディスク回転方向の両端部に設けられるリブで結合されるとともに、
前記対を成すシリンダのうちの一のシリンダのシリンダ本体の底部に前記各ボアに対応して前記開口部が設けられ、
前記リブに対応する位置に径方向外側に膨出する前記膨出部がそれぞれ設けられることを特徴とする請求項７に記載のディスクブレーキ。
【手続補正２】
【補正対象書類名】明細書
【補正対象項目名】０００５
【補正方法】変更
【補正の内容】
【０００５】
上記目的を達成するために、請求項１に記載の発明は、ピストンをシリンダのボア内で摺動させて該ピストンによりブレーキパッドをディスクに押圧するディスクブレーキであり、前記シリンダが、底部の蓋部材と、該蓋部材で閉塞される開口部を有するシリンダ本体とによって構成されるディスクブレーキにおいて、
前記蓋部材を、前記シリンダ本体の開口部に摩擦攪拌溶接によって接合し、前記シリンダ本体の前記開口部が形成される部位の外周面の外径を、前記シリンダ本体の前記ボアの外周壁の最小外径部の外径よりも大きく形成し、前記シリンダ本体の前記開口部が形成される部位の外周面のうちの一部に該外周面よりも径方向外側に膨出する膨出部を設け、この膨出部を前記摩擦攪拌溶接の完了位置とした。
【手続補正３】
【補正対象書類名】明細書
【補正対象項目名】０００６
【補正方法】変更
【補正の内容】
【０００６】
請求項２に記載の発明は、ピストンをシリンダのボア内で摺動させて該ピストンによりブレーキパッドをディスクに押圧するディスクブレーキであり、前記シリンダが、底部の蓋部材と、該蓋部材で閉塞される開口部を有するシリンダ本体とによって構成されるディスクブレーキにおいて、前記蓋部材を、前記シリンダ本体の開口部に摩擦攪拌溶接によって接合し、前記シリンダ本体の外周面のうちの、前記開口部の形成される部位の外周領域に近接した部位に、前記開口部の形成されている部位の外周面の外径よりも小さい外径の小径部を形成し、前記シリンダ本体の前記開口部が形成される部位の外周面のうちの一部に該外周面よりも径方向外側に膨出する膨出部を設け、この膨出部を前記摩擦攪拌溶接の完了位置とした。
【手続補正４】
【補正対象書類名】明細書
【補正対象項目名】０００７
【補正方法】変更
【補正の内容】
【０００７】
請求項３に記載の発明は、請求項１または２に記載のディスクブレーキにおいて、前記ディスクを両側から押圧するピストンが摺動するシリンダが対を成して設けられ、この対を成すシリンダが前記ディスクの外周面を跨いでリブで結合されるとともに、前記対を成すシリンダのうちの一のシリンダのシリンダ本体の底部に前記開口部が設けられ、前記シリンダ本体の前記開口部が形成される部位の外周のうちの、前記リブに対応する位置に径方向外側に膨出する前記膨出部が設けられるようにした。
【手続補正５】
【補正対象書類名】明細書
【補正対象項目名】０００８
【補正方法】変更
【補正の内容】
【０００８】
請求項４に記載の発明は、請求項１〜３のいずれか一項に記載のディスクブレーキにおいて、前記シリンダ本体の前記開口部が形成される部位の外周に、前記シリンダ本体の端面に向かって窄まる面取り部を形成した。
【手続補正６】
【補正対象書類名】明細書
【補正対象項目名】０００９
【補正方法】変更
【補正の内容】
【０００９】
請求項５に記載の発明は、請求項１〜４のいずれか１項に記載のディスクブレーキにおいて、前記シリンダ本体を備えたブレーキキャリパは、前記ディスクの回転方向を含む平面と略直交するように鋳型の割線が形成されるようにした。
【手続補正７】
【補正対象書類名】明細書
【補正対象項目名】００１０
【補正方法】変更
【補正の内容】
【００１０】
請求項６に記載の発明は、請求項１に記載のディスクブレーキにおいて、前記シリンダ本体の前記開口部が形成される部位の外周面と、前記シリンダ本体の前記ボアの外周壁の最小外径部とは、前記シリンダ本体の端面に向かうにつれて拡径する傾斜面により接続されるようにした。
請求項７に記載の発明は、請求項１または２に記載のディスクブレーキにおいて、液圧により一対のブレーキパッドをディスクに押圧するピストンが摺動するボアが前記ディスク回転方向に離間して２つ設けられ、前記各ボアの前記シリンダ本体の底部に前記開口部が設けられ、前記膨出部が前記シリンダ本体の前記ディスク回転方向の両端部に設けられるようにした。
請求項８に記載の発明は、請求項７に記載のディスクブレーキにおいて、前記ディスクを両側から押圧するピストンが摺動するシリンダが対を成して２対設けられ、この対を成すシリンダが前記ディスクの外周面を跨いで前記シリンダ本体の前記ディスク回転方向の両端部に設けられるリブで結合されるとともに、前記対を成すシリンダのうちの一のシリンダのシリンダ本体の底部に前記各ボアに対応して前記開口部が設けられ、前記リブに対応する位置に径方向外側に膨出する前記膨出部がそれぞれ設けられるようにした。
【手続補正８】
【補正対象書類名】明細書
【補正対象項目名】００１３
【補正方法】変更
【補正の内容】
【００１３】
請求項１及び２に記載の発明によれば、蓋部材をシリンダ本体の開口部に摩擦攪拌溶接するため、上記の基本的な効果を得ることができることに加え、蓋部材をシリンダ本体に確実に密封状態で一体化させることができる。
【手続補正９】
【補正対象書類名】明細書
【補正対象項目名】００１４
【補正方法】変更
【補正の内容】
【００１４】
請求項１及び２に記載の発明によれば、シリンダ本体の開口部が形成される部位の外周に、膨出部を設け、摩擦攪拌溶接の際に完了位置に残る残留形状部がその膨出部に形成されるようにしている。このため、シリンダ本体の開口部が形成される部位の外周の全体的な肉厚増加を招くことなく、残留形状部の形成位置を蓋部材の外側領域に確実に逃がして、残留形状部に起因する液漏れ等の発生を確実に防止することができる。
【手続補正１０】
【補正対象書類名】明細書
【補正対象項目名】００１５
【補正方法】変更
【補正の内容】
【００１５】
請求項４に記載の発明によれば、シリンダ本体の開口部が形成される部位の外周コーナに面取り部が設けられているため、シリンダ本体の端面にフライス加工を行う場合、端面の外周にバリの発生が生じにくくなる。
【手続補正１１】
【補正対象書類名】明細書
【補正対象項目名】００１６
【補正方法】変更
【補正の内容】
【００１６】
請求項５に記載の発明によれば、ブレーキキャリパの鋳造時の型割方向がディスクの軸線と略直交する方向になるため、シリンダ本体の開口部側の端面からボアの外周域に向かって型抜きのための抜き勾配を設定する必要がなくなる。したがって、請求項１または２に記載の発明に係るブレーキキャリパを鋳造によって容易に製造することができる。